(57)【要約】      （修正有）【課題】帽子のスベリの中空部分にサイズ調節用の紐体が挿通されたサイズ調節機構付帽子において、サイズ調節用の紐体の端部に固着される面ファスナーとスベリに設けられる面ファスナーの長さの関連が適切であり、サイズ調節用の紐体がゴム製でないサイズ調節機構付帽子を提供する。【解決手段】サイズ調節用の紐体が布製の帯状体であり、その一端がスベリの内部に固着され他端がスベリの外部に露出され、スベリの外部に設けられた面ファスナーがサイズ調節用の紐体の露出端に設けられている面ファスナーの２倍〜３倍の長さであるサイズ調節機構付帽子を提供する。【選択図】図１
0003136545.tif 000002
【実用新案登録請求の範囲】
【請求項１】
帽子のスベリが中空に構成され、該中空部分にサイズ調節用の紐体が挿通されたサイズ調節機構付帽子において、スベリの外面に面ファスナーのループ状面が固着されるとともにサイズ調節用の紐体の一端部が上記中空部分内にてスベリに固着されており、サイズ調節用の紐体の他端部がスベリに設けられた切れ目からスベリの外部に露出されており、該端部に面ファスナーのフック状面が固着されており、スベリに固着されている面ファスナーのループ状面が、サイズ調節用の紐体の端部に固着されているフック状面の２倍〜３倍の長さを有していることを特徴とするサイズ調節機構付帽子。
【請求項２】
帽子のスベリが中空に構成され、該中空部分にサイズ調節用の紐体が挿通されたサイズ調節機構付帽子において、スベリの外面に面ファスナーのフック状面が固着されるとともにサイズ調節用の紐体の一端部が上記中空部分内にてスベリに固着されており、サイズ調節用の紐体の他端部がスベリに設けられた切れ目からスベリの外部に露出されており、該端部に面ファスナーのループ状面が固着されており、スベリに固着されている面ファスナーのフック状面が、サイズ調節用の紐体の端部に固着されているループ状面の２倍〜３倍の長さを有していることを特徴とするサイズ調節機構付帽子。
【請求項３】
サイズ調節用の紐体を布製の帯状体としたことを特徴とする請求項１あるいは請求項２に記載のサイズ調節機構付帽子。
【考案の詳細な説明】
【技術分野】
【０００１】
本考案は、帽子のスベリが中空に構成され、該中空部分にサイズ調節用の紐体が挿通されたサイズ調節機構付帽子に関するものであり、さらに詳しくは、下記の構成を有するサイズ調節機構付帽子に関するものである。
＜構成１＞
帽子のスベリが中空に構成され、該中空部分にサイズ調節用の紐体が挿通されたサイズ調節機構付帽子において、スベリの外面に面ファスナーのループ状面が固着されるとともにサイズ調節用の紐体の一端部が上記中空部分内にてスベリに固着されており、サイズ調節用の紐体の他端部がスベリに設けられた切れ目からスベリの外部に露出されており、該端部に面ファスナーのフック状面が固着されており、スベリに固着されている面ファスナーのループ状面が、サイズ調節用の紐体の端部に固着されているフック状面の２倍〜３倍の長さを有していることを特徴とするサイズ調節機構付帽子。
＜構成２＞  
帽子のスベリが中空に構成され、該中空部分にサイズ調節用の紐体が挿通されたサイズ調節機構付帽子において、スベリの外面に面ファスナーのフック状面が固着されるとともにサイズ調節用の紐体の一端部が上記中空部分内にてスベリに固着されており、サイズ調節用の紐体の他端部がスベリに設けられた切れ目からスベリの外部に露出されており、該端部に面ファスナーのループ状面が固着されており、スベリに固着されている面ファスナーのフック状面が、サイズ調節用の紐体の端部に固着されているループ状面の２倍〜３倍の長さを有していることを特徴とするサイズ調節機構付帽子。
＜構成３＞
サイズ調節用の紐体を布製の帯状体としたことを特徴とする構成１あるいは構成２に記載のサイズ調節機構付帽子。
【背景技術】
【０００２】
帽子のスベリあるいはビンカワと称される、クラウン部分の底部内側面に縫着された帯状布になんらかの形で紐状体を添設し、該紐状体の長さを調節することによりスベリの締まり具合を調節し、帽子のサイズを調節するサイズ調節機構付帽子は従来いろいろな構成のものが開示されている。そのうち、下記特許文献１に示す「帽子」においては、スベリ（下記特許文献１では「ビンカワ」と表記）部分にゴムひもを挿通し、その一端をビンカワに縫着し、このゴムひものビンカワから突出させた先端部をビンカワの内面に取り付けた面ファスナーによって任意の位置で止められるようにした技術内容が公開されている。
【０００３】
しかしながら、下記特許文献１に記載の「帽子」においては、ゴムひもの端部に設けられた「面ファスナー」と、ビンカワに設けられた「面ファスナー」との長さの関連が明記されていない。したがって、面ファスナー部分の詳細が表示された特許文献１の図２からその長さを想定するしかないのであるが、特許文献１の図２においては、その長さは略同一として図示されている。
【０００４】
ところが、このように「面ファスナー」の長さが同一であった場合には、使用者の使用勝手ははなはだ良くないものとなることは明白である。すなわち、特許文献１にいう面ファスナー１４ａは、ゴムひもを引っ張ったり縮めたりすることによってその位置が変化するが、ビンカワに設けられた面ファスナー１３ａは定位置に常にある。したがって、本来、面ファスナー１４ａを受ける面ファスナー１３ａは面ファスナー１４ａに比較してより長く構成されていないと、面ファスナー１４ａを受けることができなくなる場合が生じてしまう。これに対して、面ファスナー１４ａは、ゴムひもの端部にわずかに貼着されていれば、その用を果たせるものである。また、特許文献１にてはゴムひもを使用しているが、ゴムひもでは実際の使用に関してビンカワ内部で抵抗を生じ、サイズ調節が行いにくい上に、劣化が早く、経年変化で伸びてしまうので適切ではないことが明らかになってきた。
【特許文献１】特開２０００‐３０３２４１号公報
【考案の開示】
【考案が解決しようとする課題】
【０００５】
本考案にては、上記のような事状に鑑み、サイズ調節用紐体の端部に固着される面ファスナーとスベリ部分に設けられる面ファスナーの長さの適切な関係を求めるとともに、サイズ調節用紐体を通常の布製として構成することを課題としたものである。
【課題を解決するための手段】
【０００６】
本考案は、上記課題を解決するためになされたものであって、下記に示す解決手段を提供するものである。
＜解決手段１＞
帽子のスベリが中空に構成され、該中空部分にサイズ調節用の紐体が挿通されたサイズ調節機構付帽子において、スベリの外面に面ファスナーのループ状面が固着されるとともにサイズ調節用の紐体の一端部が上記中空部分内にてスベリに固着されており、サイズ調節用の紐体の他端部がスベリに設けられた切れ目からスベリの外部に露出されており、該端部に面ファスナーのフック状面が固着されており、スベリに固着されている面ファスナーのループ状面が、サイズ調節用の紐体の端部に固着されているフック状面の２倍〜３倍の長さを有していることを特徴とするサイズ調節機構付帽子。
＜解決手段２＞  
帽子のスベリが中空に構成され、該中空部分にサイズ調節用の紐体が挿通されたサイズ調節機構付帽子において、スベリの外面に面ファスナーのフック状面が固着されるとともにサイズ調節用の紐体の一端部が上記中空部分内にてスベリに固着されており、サイズ調節用の紐体の他端部がスベリに設けられた切れ目からスベリの外部に露出されており、該端部に面ファスナーのループ状面が固着されており、スベリに固着されている面ファスナーのフック状面が、サイズ調節用の紐体の端部に固着されているループ状面の２倍〜３倍の長さを有していることを特徴とするサイズ調節機構付帽子。
＜解決手段３＞
サイズ調節用の紐体を布製の帯状体としたことを特徴とする解決手段１あるいは解決手段２に記載のサイズ調節機構付帽子。
【考案の効果】
【０００７】
本考案の解決手段１、２の考案によれば、スベリの外面に設けられた面ファスナーの長さをサイズ調節用の紐体の一端に設けられた面ファスナーの長さの２倍〜３倍としているので、サイズ調節用の紐体の伸縮をサイズ調節用の紐体の一端に設けられた面ファスナーの長さの２倍〜３倍に亘って行うことができ、実際の使用において、ほとんどのサイズ調節の要求に答えうるものである。
【０００８】
本考案の解決手段３の考案によれば、サイズ調節用の紐体を布製の帯状体としているので、実際の使用に関してゴムひものようにスベリ内部で抵抗を生じることがなく円滑に紐体の伸縮作業が行える。また、ゴムひものように劣化の心配がなく、経年変化の影響をほとんど蒙ることがないので、永年の継続使用に耐え得るものである。
【考案を実施するための最良の形態】
【０００９】
本考案を実施するための最良の形態を、以下に図面を参照しながら詳細に説明する。
【実施例１】
【００１０】
図１に、本考案のサイズ調節機構付帽子の縦断面図を、図２に外観斜視図を、図３に底面図を示す。本考案のサイズ調節機構付帽子１は、クラウン部２、鍔部３、クラウン部２と鍔部３の縫着部分にその下端部を縫着されたスベリ４から構成され、スベリ４の内部は中空部分Ｓとなっていて、中空部分Ｓ内に紐体５が挿通されている。
【００１１】
図４、図５、図６にスベリ４と紐体５の詳細を示す。スベリ４は内部に中空部分Ｓを有する袋状の帯状布であって、表布４ａと裏布４ｂが上端部及び下端部において縫着されて構成されており、被る人間の頭部（図示せず）に接触する部分を表布４ａとした状態にてクラウン部２と鍔部３の縫着部分にその下端部が縫着されている。
【００１２】
スベリ４の裏布４ｂの一部には切れ目Ｃが設けられていて、切れ目Ｃから後述の紐体５の端部５ａが露出されている。紐体５は、その幅がスベリ４の幅の３分の１程度の帯状布であって、端部５ａには面ファスナー６のフック状面６ａが縫着により固着されており、もう一方の端部５ｂはスベリ４の端部４ｄ内にて縫着によりスベリ４に固着されている。すなわち、スベリ４の端部４ｄにおいて、端部４ｄ、紐体５の端部５ｂ、面ファスナー６のループ状面６ｂが一体として縫着されている（図６ｂ参照）。また、紐体５の端部５ａは、前述のようにスベリ４の端部４ｃ近傍に設けられた切れ目Ｃよりスベリ４の外部に導出されている（図５ａ参照）。
【００１３】
紐体５の端部５ａには前述のように面ファスナー６のフック状面６ａが縫着により固着されており、スベリ４の端部４ｄの裏布４ｂの外面には面ファスナー６のループ状面６ｂが縫着により固着されている。スベリ４の端部４ｃと端部４ｄは、帽子１に縫着される場合には相互に縫着されるので（図４ｂ参照）、紐体５の端部５ａの面ファスナー６のフック状面６ａとスベリ４の端部４ｄの面ファスナー６のループ状面６ｂは、図４ｂ、図７に示すように互いに繋着できる位置関係となる。
【００１４】
この際、図７に見るように、フック状面６ａの長手方向の長さＬ１とループ状面６ｂの長手方向の長さＬ２に関しては、Ｌ２がＬ１の２倍〜３倍となるように構成されている。図７にては、約２．７倍となっているが、２．５倍前後が最も使い勝手が良いと思われる。具体的な長さでは、Ｌ１が１５ｍｍ〜２５ｍｍ程度、Ｌ２が３０ｍｍ〜７５ｍｍ程度の範囲が適切と考えられる。
【００１５】
このように構成する理由は、次のとおりである。すなわち、紐体５の長さを最大にしたい場合、すなわち帽子１のサイズを最大にしたい場合には、図７に実線で示すように、フック状面６ａの少なくとも半分程度の面積がループ状面６ｂに繋着固定されるようにする必要がある。要するに、少なくとも長さＬ１の半分の長さのフック状面６ａがループ状面６ｂに繋着される必要がある。また、紐体５の長さを最小にしたい場合にも、やはり図７に仮想線で示すようにフック状面６ａの少なくとも半分程度の面積がループ状面６ｂに繋着固定されるようにする必要がある。すなわち、やはり少なくとも長さＬ１の半分の長さのフック状面６ａがループ状面６ｂに繋着される必要がある。
【００１６】
今、図７に実線で示した紐体５の最先端部５ｃの位置と、図７に仮想線で示した紐体５の最先端部５ｃの位置を比較してみると、その間の距離Ｌ３は、当然ループ状面６ｂの長手方向の距離Ｌ２に等しくなる。したがって、Ｌ２がＬ１の２倍〜３倍となるように構成することにより、紐体５は、Ｌ１の２倍〜３倍の間にて長さの調節が可能であるということになる。
【００１７】
上記数値限定の根拠は以下のとおりである。すなわち、Ｌ２がＬ１の２倍を下回る値となった場合には、紐体５の調整可能範囲である距離Ｌ３もフック状面６ａの長さＬ１の２倍を下回ることとなり、実質的にサイズ調整可能範囲のきわめて狭い帽子１となってしまう。もっとも、フック状面６ａの長さＬ１を長くすれば、距離Ｌ３、すなわちサイズ調整可能範囲も大きくなるわけであるが、フック状面６ａの長さＬ１があまりに長大になると、それに比例してループ状面６ｂの長さも長くしなければならなくなり、実用的ではない。すなわち、フック状面６ａもループ状面６ｂもともに長い面ファスナーというものは、実際上は扱いにくく、またスベリ４に与える負荷も大きくなり、帽子１の被り心地にも影響してくる。このような点を考えると、フック状面６ａの長さＬ１をあまりに長大とするのは得策とはいえない。実際には、前述のように１５ｍｍ〜２５ｍｍ程度が適切な範囲と考えられる。
【００１８】
次に、最大値の３倍の方であるが、これについては、Ｌ２がＬ１の３倍を上回る値となった場合、やはりループ状面６ｂの長さＬ２が余りに長くなりすぎて、上記のような使い勝手の悪さや被り心地の悪さが生じてしまう。かといって、長さＬ２を必要以上に長くしないためには、長さＬ１を極端に短くしなければならなくなるが、そうすると今度は面ファスナー６の繋着固定性能にも影響が出てくる。以上のような検討より、Ｌ２がＬ１の２倍〜３倍となるように構成するという数値限定を導出したものである。
【００１９】
次に、実施例１のサイズ調節機構付帽子１の作用について述べる。使用者（図示せず）は、実施例１のサイズ調節機構付帽子１を被る際に、試着してみてサイズが小さいと感じれば、図１のようにスベリ４の裏布４ｂを露出して、面ファスナー６のフック状面６ａとループ状面６ｂの繋着状態を解除し、図７において右方にフック状面６ａをずらせて再びフック状面６ａとループ状面６ｂを繋着固定する。この際、当然紐体５の端部５ａにはたるみが生じるが、このたるみはスベリ４全体を延長方向にしごくことにより紐体５がスベリ４の中空部分Ｓ内を移動していくことによって解消される。すなわち紐体５の端部５ｂを除く部分は図６ａに示すようにスベリ４の内部にて非固着状態であるので、スベリ４の中空部分Ｓ内をほぼ全周に亘って移動することが可能である。そして、これにより、スベリ４全体は紐体５の封入された部位において拡径される。
【００２０】
次に、使用者（図示せず）が試着してみてサイズが大きいと感じた場合には、面ファスナー６のフック状面６ａとループ状面６ｂの繋着状態を解除した後、図７において左方にフック状面６ａをずらせて再びフック状面６ａとループ状面６ｂを繋着固定する。この際、当然紐体５の端部５ａにて緊張させられるが、この緊張はスベリ４全体を延長方向にしごくことにより紐体５がスベリ４の中空部分Ｓ内を移動していくことによってスベリ４全体にわたって分散される。すなわち、スベリ４全体は紐体５の封入された部位において縮径される。
【００２１】
使用者は上記操作を適宜繰り返し、自分の頭部のサイズに適合したと思われる位置にて最終的に面ファスナー６のフック状面６ａとループ状面６ｂを繋着固定し、スベリ４全体を延長方向にしごくことによってたるみあるいは緊張をスベリ４全体に分散する。このようにすることにより、帽子１のサイズを使用者の頭部のサイズに完全に適合させることができる。
【産業上の利用可能性】
【００２２】
本考案は、簡単な手段で使用者の頭部のサイズに完全に適合した帽子を得ることができるので、従来のように多種類のサイズを揃えなくてもすみ、帽子の製作及び販売において多大な合理化をもたらす画期的なものである。また、紐体に布を用いているので、ゴムのように劣化がなく、略恒久的に用いることができる。
【図面の簡単な説明】
【００２３】
【図１】本考案の実施例１のサイズ調節機構付帽子の縦断面図である。
【図２】本考案の実施例１のサイズ調節機構付帽子の外観斜視図である。
【図３】本考案の実施例１のサイズ調節機構付帽子の底面図である。
【図４】（ａ）本考案の実施例１のサイズ調節機構付帽子のスベリの展開図である。    （ｂ）本考案の実施例１のサイズ調節機構付帽子のスベリを円環状に縫製した状態を示す外観斜視図である。
【図５】（ａ）図４ａの要部拡大図である。    （ｂ）図４ａの要部拡大図である。
【図６】（ａ）図５ａのＡ−Ａ線端面図である。    （ｂ）図５ｂのＢ−Ｂ線断面図である。
【図７】本考案の実施例１のサイズ調節機構付帽子の作用を説明する説明図である。
【符号の説明】
【００２４】
１      サイズ調整機構付帽子
２      クラウン部
３      鍔部
４      スベリ
４ａ    表布
４ｂ    裏布
４ｃ    端部
４ｄ    端部
５      紐体
５ａ    端部
５ｂ    端部
５ｃ    最先端部
６      面ファスナー
６ａ    フック状面
６ｂ    ループ状面
Ｃ      切れ目
Ｓ      中空部分
Ｌ１    長さ
Ｌ２    長さ
Ｌ３    距離
【図１】
0003136545.tif 000003
【図２】
0003136545.tif 000004
【図３】
0003136545.tif 000005
【図４】
0003136545.tif 000006
【図５】
0003136545.tif 000007
【図６】
0003136545.tif 000008
【図７】
0003136545.tif 000009